(57)【要約】      （修正有）【課題】テレビコマーシャルを通して又はテレビショッピングチャンネルから、直接宣伝された商品を消費者が購入することを可能にするテレビショッピング装置及び方法を提供する。【解決手段】テレビショッピングシステムは、インターネットを介してダウンロードしかつテレビリモコン装置に送信するショッピングサービスプラットフォームに接続されたネットワークデバイスに関連して、チャンネル情報及び消費情報を収集及び分類するショッピングサービスプラットフォームを含む。前記ショッピングサービスプラットフォームは、利用者は、前記ショッピング情報を前記テレビリモコンと、前記ネットワークデバイスとを介して前記ショッピングサービスプラットフォームに送信し、またテレビコマーシャルで紹介され又はショッピングチャンネルにより直接宣伝される商品を前記ショッピングサービスプラットフォーム経由で購入する。【選択図】図１
2012039588.tif 000002
【特許請求の範囲】
【請求項１】
複数のケーブルテレビチャンネルと、複数のケーブルテレビ事業者と、該ケーブルテレビ事業者の前記ケーブルテレビチャンネルにそれぞれ対応する複数のチャンネル番号とを備えるチャンネル情報マッピングテーブル並びに各ケーブルテレビチャンネルにそれぞれ関連する複数の番組リストを有するショッピングサービスプラットフォームであって、情報ダウンロード要求に従ったチャンネル情報及び消費情報を発生させ出力するショッピングサービスプラットフォームと、
前記ショッピングサービスプラットフォームに前記情報ダウンロード要求を送信すべく前記ショッピングプラットフォームにインターネットを介して接続されたネットワークデバイスであって、前記情報ダウンロード要求に対応する前記チャンネル情報及び前記消費情報を受信するネットワークデバイスと、
テレビリモコン装置であって、テレビを遠隔操作するリモコンユニットと、ディスプレイユニットと、前記ネットワークデバイスに無線で接続されかつ前記ディスプレイユニットに電気的に接続されたデータ処理兼取引ユニットであって、前記ケーブルテレビチャンネルの前記チャンネル情報及び前記消費情報をダウンロードするための情報ダウンロード信号を受けると共に、対応する前記チャンネル情報及び前記消費情報を取得すべく、前記情報ダウンロード要求を発生させかつ該情報ダウンロード要求を前記ネットワークデバイスに前記インターネットを介して転送し、また対応する前記チャンネル情報及び前記消費情報を前記ディスプレイユニットに表示し、さらにショッピング情報を発生させかつ該ショッピング情報を、前記ショッピングサービスプラットフォームが前記リモコンユニットにより発生する取引要求を受信した後に取引を完了すべく、前記ショッピングサービスプラットフォームに前記ネットワークデバイスを介して送信するデータ処理兼取引ユニットと、
前記テレビリモコン装置の他のユニットのそれぞれに駆動電力を供給する電源ユニットとを有するテレビリモコン装置とを含む、テレビショッピング装置。
【請求項２】
前記ネットワークデバイスは、第１の伝送モジュールを含み、
前記テレビリモコン装置の前記データ処理兼取引ユニットは、計算・制御センタとして作用するマイクロプロセッサと、該マイクロプロセッサに電気的に接続されかつ前記第１の伝送モジュールに接続された第２の伝送モジュールとを含み、
前記テレビリモコン装置の前記リモコンユニットは、前記マイクロプロセッサに電気的に接続されたリモコンモジュールと、前記マイクロプロセッサに電気的に接続された入力モジュールであって、テレビリモコンボタン、チャンネル分類ボタン及びテレビショッピングボタンを有する入力モジュールとを含む、請求項１に記載のテレビショッピング装置。
【請求項３】
前記ショッピング情報は、商品情報及び支払情報を含む、請求項１又は２に記載のテレビショッピング装置。
【請求項４】
前記データ処理兼取引ユニットは、前記マイクロプロセッサに電気的に接続された販売時点情報管理装置であって、支払用のカードを読み込むための、及び前記支払情報を発生させて前記マイクロプロセッサに送信するための販売時点情報管理装置を含み、
前記ショッピングサービスプラットフォームは、セキュアトランザクションのためにクレッジトカードセンタ及び銀行のサーバに接続されており、また前記支払情報を発生させた後に、対応する銀行に関連して支払要求手続を終えると共に取引を完了する、請求項１又は２に記載のテレビショッピング装置。
【請求項５】
前記データ処理兼取引ユニットは、前記マイクロプロセッサに電気的に接続された販売時点情報管理装置であって、支払用のカードを読み込むための、及び前記支払情報を発生させて前記マイクロプロセッサに送信するための販売時点情報管理装置を含み、
前記ショッピングサービスプラットフォームは、セキュアトランザクションのためにクレッジトカードセンタ及び銀行のサーバに接続されており、また前記支払情報を発生させた後に、対応する銀行に関連した支払要求手続を終えると共に、取引を完了する、請求項３に記載のテレビショッピング装置。
【請求項６】
前記ショッピングサービスプラットフォームは、クレジットカード番号に関する情報を前記リモコンユニットから受信した後に前記支払情報を発生させ、また対応する銀行に関する支払要求を終了すると共に、前記取引を完了する、請求項４に記載のテレビショッピング装置。
【請求項７】
前記ショッピングサービスプラットフォームは、クレジットカード番号に関する情報を前記リモコンユニットから受信した後に前記支払情報を発生させ、また対応する銀行に関する支払要求を終了すると共に、前記取引を完了する、請求項５に記載のテレビショッピング装置。
【請求項８】
前記ショッピングサービスプラットフォームは、セキュアトランザクションのためにクレジットカードセンタ及び銀行のサーバに接続されており、またクレジットカード番号に関する情報を前記リモコンユニットから受信した後に前記支払情報を発生させ、さらに対応する銀行に関する支払要求手続を終了すると共に、前記取引を完了する、請求項１又は２に記載のテレビショッピング装置。
【請求項９】
前記ショッピングサービスプラットフォームは、セキュアトランザクションのためにクレジットカードセンタ及び銀行のサーバに接続されており、またクレジットカード番号に関する情報を前記リモコンユニットから受信した後に前記支払情報を発生させ、さらに対応する銀行に関する支払要求手続を終了すると共に、前記取引を完了する、請求項３に記載のテレビショッピング装置。
【請求項１０】
前記ネットワークデバイスはコンピュータである、請求項６に記載のテレビショッピング装置。
【請求項１１】
前記ネットワークデバイスはコンピュータである、請求項７に記載のテレビショッピング装置。
【請求項１２】
前記ネットワークデバイスはコンピュータである、請求項８に記載のテレビショッピング装置。
【請求項１３】
前記ネットワークデバイスはコンピュータである、請求項９に記載のテレビショッピング装置。
【請求項１４】
複数のケーブルテレビチャンネルと、複数のケーブルテレビ事業者と、該ケーブルテレビ事業者の前記ケーブルテレビチャンネルにそれぞれ対応する複数のチャンネル番号とを有するチャンネル情報マッピングテーブル並びに各ケーブルテレビチャンネルにそれぞれ関連する複数の番組リストを含むショッピングサービスプラットフォームであって、情報ダウンロード処理ステップと取引要求処理ステップとを行うショッピングサービスプラットフォームを提供すること、
前記ショッピングサービスプラットフォームに情報ダウンロード要求を送信するように前記ショッピングプラットフォームにインターネットを介して接続されたネットワークデバイスであって、前記情報ダウンロード要求に対応したチャンネル情報及び消費情報を受信するネットワークデバイスを提供すること、及び
前記ネットワークデバイスに接続されたテレビリモコン装置であって、テレビを遠隔操作し、リアルタイムの商品情報をダウンロードするステップと、テレビコマーシャルに関連する商品を購入するステップとを提供するテレビリモコン装置を提供することを含み、
リアルタイムの商品情報をダウンロードする前記ステップを行うときに、前記ショッピングサービスプラットフォームの前記情報ダウンロード処理ステップを起動すべく、前記テレビリモコン装置が前記情報ダウンロード要求を前記ショッピングサービスプラットフォームに送信し、また前記ショッピングサービスプラットフォームが前記チャンネル情報マッピングテーブルと、各ケーブルテレビチャンネルに関連する前記番組リストと、各ケーブルテレビのテレビコマーシャルの商品に関連する消費情報とを前記テレビリモコン装置にインターネットを介して送信し、
テレビコマーシャルに関連する商品を購入する前記ステップを行うとき、対応する商品ベンダーに対して発注を行いかつ出荷完了後に出荷完了通知を前記ネットワークデバイスを介して前記テレビリモコン装置に送信するような、前記ショッピングサービスプラットフォームの前記取引要求処理ステップを起動すべく、前記テレビリモコン装置がショッピング情報を前記ショッピングサービスプラットフォームに送信する、テレビショッピング方法。
【請求項１５】
前記ショッピングサービスプラットフォームにより実行される前記情報ダウンロード処理ステップは、
前記チャンネル情報マッピングテーブルを構築すること、
前記ショッピングサービスプラットフォームが前記インターネットを介して各ケーブルテレビチャンネルの時間枠の番組リストを獲得することで、チャンネル番組情報を受信し更新すること、
前記チャンネル情報が各ケーブルテレビ事業者に関するチャンネル分類リスト及び複数のチャンネル選択肢を有し、各チャンネル選択肢が複数のプレイアイテムを有し、各プレイアイテムが情報に関連する番組を有するように、受信された前記チャンネル番組情報と、前記チャンネル情報マッピングテーブルとに従った前記チャンネル情報及び前記消費情報を発生させること、
前記ネットワークデバイスにリンクを構築した後に、前記ショッピングサービスプラットホームが前記ネットワークデバイスから送信された前記ダウンロード要求に従って前記ネットワークデバイスに前記チャンネル情報及び前記消費情報を送信するように、前記情報ダウンロード要求を受信することを含む、請求項１４に記載のテレビショッピング方法。
【請求項１６】
前記ショッピングサービスプラットフォームにより実行される前記取引要求処理ステップは、
前記ショッピングサービスプラットフォームが商品情報及び支払情報を有する前記ショッピング情報であって、前記ネットワークデバイスからインターネットを介して送信された前記ショッピング情報を受信するように、前記ショッピング情報を受信すること、
前記ショッピングサービスプラットフォームが、認証コードを要求すべく、前記インターネットを介して前記クレジットカードセンタに前記支払情報を送信することで、前記支払情報を認証すること、
前記インターネットを介してクレジットカードセンタから送信された認証コードを受信した後に、前記ショッピングサービスプラットフォームが出荷情報と、クレッジトカード利用受理の応答と、支払通知とを発生させ、出荷についてベンダーに知らせるべく前記出荷情報を該ベンダーに、前記クレジットカードの利用受理の応答を前記ネットワークデバイスに、前記銀行を介して支払を求めるべく前記支払通知を対応する銀行に送るように、出荷通知を送信すること、
前記出荷完了通知を前記インターネットを介して前記ベンダーから受信した後に、前記ショッピングサービスプラットフォームが前記出荷完了通知を前記ネットワークデバイスに送信するように、前記出荷完了通知に応答することを含む、請求項１５に記載のテレビショッピング方法。
【請求項１７】
前記テレビリモコン装置により実行される、テレビコマーシャルに関連する商品を購入する前記ステップは、
取引要求を受けた後に、前記テレビリモコン装置が対応する商品情報を発生させ、また支払の形式を選択するための画面を表示するように、前記商品情報を発生させること、
前記支払の形式を受けた後に、前記テレビリモコン装置が前記支払情報を発生させるように、前記支払情報を発生させること、
前記支払情報を受信した後に、前記テレビリモコン装置が前記商品情報及び前記支払情報を前記ショッピング情報に統合し、また該ショッピング情報を前記ネットワークデバイスに送信するように、前記ショッピング情報を発生させること、
前記テレビリモコン装置が前記ネットワークデバイスから送信された前記出荷完了通知を受信するように、前記出荷完了通知を受信することを含む、請求項１６に記載のテレビショッピング方法。
【請求項１８】
前記テレビリモコン装置により実行される、テレビコマーシャルに関連する商品を購入する前記ステップは、
取引要求を受けた後に、前記テレビリモコン装置が、対応する商品情報を発生させかつ支払の形式を選択するための画面を表示するように、前記商品情報を発生させること、
前記支払の形式を受けた後に、前記テレビリモコン装置が前記支払情報を発生させるように、前記支払情報を発生させること、
前記支払情報を受信した後に、前記テレビリモコン装置が、前記商品情報及び前記支払情報を前記ショッピング情報に統合しかつ該ショッピング情報を前記ネットワークデバイスに送信するように、前記ショッピング情報を発生させること、
前記テレビリモコン装置が前記ネットワークデバイスから送信された前記出荷完了通知を受信するように、前記出荷完了通知を受信することを含む、請求項１４に記載のテレビショッピング方法。
【発明の詳細な説明】
【技術分野】
【０００１】
本発明は、ショッピング装置に関し、特にテレビショッピング装置及び方法に関する。
【背景技術】
【０００２】
ケーブルテレビの高い普及率により、テレビショッピングは、商品を揃えている店舗に赴くことなく消費者が簡易に所望の商品を購入することを可能にする新たな手段となる。そのような利便性は、買い物方法に徐々に影響を与える。しかし、既存のテレビショッピングチャンネルは、画面に商品の情報を表示するのみであった。テレビショッピングは、そのような機能を単に有するだけであるから、未だに以下のような欠点を有する。
【０００３】
１．テレビショッピングチャンネルから商品を購入しようとすると、消費者は、発注を行うべくテレビショッピングチャンネル事業者に電話をする前に、商品名、商品番号、値段のような商品の情報を記録しなければならない。その上、質問及び注文用の電話回線が限られるために、テレビショッピング用に提供されるその回線が常に使用中となり、消費者は、通常、回線が実際に繋がるまで、電話を切らないで待つか、又は何度もかけ直す必要がある。したがって、一連の注文の作業は、不便で時間の浪費となる。
【０００４】
２．商品番号、寸法のような商品に関する情報を誤って記録すると、消費者は、返品又は交換すべき間違った商品を予想外に受け取ることで苛立つかもしれない。不注意で生じる小さいミスを補償する前記した全体的な作業は、驚愕に満ちて、かつ苛立たされる。
【０００５】
３．消費者は、テレビショッピングチャンネルを介して宣伝される商品のみを購入することができる。テレビコマーシャルに登場した商品を購入しようとするとき、消費者は、未だに、商品を購入すべく商品を取り揃える店舗に個人的に訪れる必要がある。
【発明の概要】
【発明が解決しようとする課題】
【０００６】
本発明の第１の目的は、テレビコマーシャルを通して又はテレビショッピングチャンネルから、直接宣伝された商品を消費者が購入することを可能にするテレビショッピング装置及び方法を提供することである。
【０００７】
本発明の第２の目的は、テレビコマーシャルを通して又はテレビショッピングチャンネルから、直接宣伝された商品を消費者が購入することを可能にするテレビショッピング方法を提供することである。
【課題を解決するための手段】
【０００８】
前記第１の目的を達すべく、テレビショッピング装置は、ショッピングサービスプラットフォーム、ネットワークデバイス及びテレビリモコンを含む。
【０００９】
前記ショッピングサービスプラットフォームは、チャンネル情報マッピングテーブル及び複数の番組リストを有する。前記チャンネル情報マッピングテーブルは、既存の複数のケーブルテレビチャンネルと、複数のケーブルテレビ事業者と、該ケーブルテレビ事業者の前記ケーブルテレビチャンネルにそれぞれ対応する複数のチャンネル番号とを備える。前記番組リストは、各ケーブルテレビ事業者に関連する。前記ショッピングサービスプラットフォームは、情報ダウンロード要求に従ったチャンネル情報及び消費情報を発生させ出力する。
【００１０】
ネットワークデバイスは、前記情報ダウンロード要求を前記ショッピングサービスプラットフォームに送信すべく、かつ前記情報ダウンロード要求に対応した前記チャンネル情報及び前記消費情報を受信すべく、前記ショッピングサービスプラットフォームにインターネットを介して接続する。
【００１１】
前記テレビリモコンは、リモコンユニットと、ディスプレイユニットと、データ処理兼取引ユニットと電源供給ユニットとを有する。
【００１２】
前記リモコンユニットは、テレビを遠隔操作する。前記データ処理兼取引ユニットは、前記ネットワークデバイスに無線で接続され、かつ前記ディスプレイユニットに電気的に接続され、またケーブルテレビチャンネルの前記チャンネル情報及び前記消費情報をダウンロードするための情報ダウンロード信号を受けると共に、対応する前記チャンネル情報及び消費情報を取得すべく、前記情報ダウンロード要求を発生させ、かつ該情報ダウンロード要求を前記ネットワークデバイスに前記インターネットを介して送信し、また対応する前記チャンネル情報及び消費情報をディスプレイユニットに表示し、さらにショッピング情報を発生させ、かつ該ショッピング情報を、前記ショッピングサービスプラットフォームが前記リモコンユニットにより発生する取引要求を受信した後に取引を完了すべく、前記ショッピングサービスプラットフォームに前記ネットワークデバイスを介して送信する。前記電源供給ユニットは、テレビリモコンの前記した各ユニットに動作電力を供給する。
【００１３】
前記第２の目的を達すべく、上記のテレビショッピング方法は以下の手順を有する。
【００１４】
チャンネル情報マッピングテーブルと、複数の番組リストとを有し、また情報ダウンロード処理手順と、取引要求処理手順とを行うショッピングサービスプラットフォームであって、前記チャンネル情報マッピングテーブルは、既存のケーブルテレビチャンネルと、ケーブルテレビ事業者と、該ケーブルテレビ事業者の前記ケーブルテレビチャンネルにそれぞれ対応するチャンネル番号とを有し、また各番組は、それぞれ各ケーブルテレビチャンネルに関連する、ショッピングサービスプラットフォームを提供する。
【００１５】
情報ダウンロード要求を前記ショッピングサービスプラットフォームに送信すべく、かつ該情報ダウンロード要求に対応するチャンネル情報及び消費情報を受信すべく、前記ショッピングサービスプラットフォームにインターネットを介して接続するネットワークデバイスを提供する。
【００１６】
前記ネットワークデバイスに接続され、テレビを遠隔操作し、商品情報をリアルタイムにダウンロードするステップ及びテレビコマーシャルに関連する商品を購入するステップを提供するテレビリモコン装置を提供する。
【００１７】
商品情報をリアルタイムにダウンロードする前記ステップ行うとき、前記テレビリモコンは、前記ショッピングサービスプラットフォームの前記情報ダウンロード処理ステップを起動すべく情報ダウンロード要求を前記ショッピングサービスプラットフォームに送信すると共に、前記チャンネル情報マッピングテーブルと、各ケーブルテレビチャンネルに関連した前記番組リストと、各ケーブルテレビのテレビコマーシャルの商品に関連する消費情報とを前記テレビリモコンに前記ネットワークを介して送信する。
【００１８】
テレビコマーシャルに関連する商品購入のステップを行うとき、前記テレビリモコンは、対応する商品ベンダーに発注するように、かつ出荷完了後に前記テレビリモコンに前記ネットワークデバイスを介して出荷通知書を送信するように、前記ショッピングサービスプラットフォームの前記取引要求処理ステップを起動すべく、前記ショッピング情報を前記ショッピングサービスプラットフォームに送信する。
【発明の効果】
【００１９】
前記ショッピングサービスプラットフォームは、前記チャンネルで宣伝されるテレビコマーシャル及びショッピングチャンネルを介して直接販売できる商品の情報を取得すべく、各ケーブルテレビチャンネルの前記番組リストを収集し分類する。前記ショッピングサービスプラットフォームは、家庭用ネットワーク及びテレビリモコン装置と共同で、該テレビリモコン装置に前記ネットワークデバイスを介して前記商品情報を送信する。消費者は、前記テレビリモコン装置に表示される商品情報を確認し、前記テレビリモコン装置と、前記ネットワークデバイスとを介して前記ショッピングサービスプラットフォームに取引要求を発することを単に必要とする。さらに、前記ショッピングサービスプラットフォームは、対応した銀行により前記取引要求を認証して、その後、前記商品のベンダーに発注する。消費者は、テレビコマーシャル又はショッピングチャンネルを見ているとき、商品情報を記銘することに代えて、テレビリモコン装置の対応するボタンを押すだけで所望の商品を購入するための発注をすることができる。したがって、前記ショッピング装置及び方法は、より便利かつより選択的なテレビショッピングの方法に対処できる。
【図面の簡単な説明】
【００２０】
本発明の他の目的、利点及び新規な特徴は、添付の図面と関連して以下の詳細な説明から明確になる。
【００２１】
【図１】本発明に従うテレビショッピング装置の第1の実施例のブロック図。
【図２】図１におけるテレビショッピング装置のショッピングサービスプラットフォームの動作フローチャート。
【図３】図１におけるテレビショッピング装置のネットワークデバイスの動作フローチャート。
【図４】図１におけるテレビショッピング装置のテレビリモコン装置の動作フローチャート。
【図５】消費情報の表示状態を示す、図１におけるテレビショッピング装置のテレビリモコン装置の正面図。
【図６】支払の選択形式の表示状態を示す図５のテレビリモコン装置の正面図。
【図７】支払の確認形式の表示状態を示す図５のテレビリモコン装置の正面図。
【図８】クレジットによる支払いの表示状態を示す図５のテレビリモコン装置の正面図。
【図９】クレジットの利用を介した取引の確認を示す図５のテレビリモコン装置の正面図。
【図１０】取引完了と取引に関する情報との表示状態を示す、図５のテレビリモコン装置の正面図。
【図１１】消費情報を表示する過程を示す、図１におけるテレビショッピング装置のフローチャート。
【図１２】テレビショッピングのためにテレビショッピング装置のリモコン装置を利用する手順を示す、図１におけるテレビショッピング装置のフローチャート。
【図１３】クレッジットカードの利用による取引確認の表示状態を示す、本発明に従うテレビショッピング装置の第２の実施例のリモコン装置の正面図。
【図１４】支払の形式確認の表示状態を示す図１３のテレビリモコン装置の正面図。
【図１５】クレジットの利用による取引確認の表示状態を示す図１３のテレビリモコン装置の正面図。
【発明を実施するための形態】
【００２２】
図１を参照するに、テレビショッピング装置の第１の実施例は、ショッピングサービスプラットフォーム１０と、ネットワークデバイス２０と、テレビジョン受像器を遠隔操作する、いわゆるテレビリモコン装置３０とを含む。
【００２３】
ショッピングサービスプラットフォーム１０は、リモートサーバに構築されると共に、セキュアトランザクション（secure transaction）のためにテレビショッピングチャンネル事業者のサーバと、テレビコマーシャルを介して商品を販売するベンダーと、銀行と、クレジットカードセンタとに接続される。ショッピングサービスプラットフォーム１０は、チャンネル情報マッピングテーブルと複数の番組リストとを備える。各番組リストは、各ケーブルテレビチャンネルと関連し、また情報ダウンロード要求に従ってチャンネル情報及び消費情報を発生させかつ出力する。
【００２４】
ネットワークデバイス２０は、ショッピングサービスプラットフォーム１０に前記情報ダウンロード要求を送信すべく、インターネットを介してショッピングサービスプラットフォーム１０に接続されており、また前記情報ダウンロード要求に対応した前記消費情報を受信する。ネットワークデバイス２０は、コンピュータ、ルータ又はネットワークブリッジであってもよい。ネットワークデバイス２０は、第１の伝送モジュール２１を備える。第１の伝送モジュール２１は、ＲＦ伝送モジュール若しくはブルートゥース伝送モジュールといった無線伝送モジュール又はＵＳＢハブのような有線伝送モジュールであってもよい。
【００２５】
テレビリモコン装置３０は、従来のテレビリモコン装置の全ての機能を統合し、またリモコンユニット３１と、ディスプレイユニット３３と、データ処理及び取引ユニット３２と、電源供給ユニット３４とを備える。
【００２６】
リモコンユニット３１は、チャンネル切り替え、音量調節のようなテレビの基本的な遠隔操作機能を遠隔制御するように働き、また入力モジュール３１２及びリモコンモジュール３１１を有する。入力モジュール３１２は、テレビリモコンボタン３１３と、チャンネル分類ボタン３１４と、テレビショッピングボタン３１５とを有する。リモコンモジュール３１１は、入力モジュール３１２に電気的に接続されており、またテレビリモコン装置及びチャンネル分類に関連して押される入力モジュール３１２の前記ボタンに従って、テレビリモコン装置として利用されるべく様々な遠隔操作コマンドを発生させる。
【００２７】
ディスプレイユニット３３は、ディスプレイ機能及び入力機能を有するタッチパネルである。ディスプレイユニット３３の前記入力機能は、入力モジュール３１２の前記テレビショッピングボタンに置き換えてもよい。
【００２８】
データ処理及び取引ユニット３２は、ネットワークデバイス２０に無線で接続され、またディスプレイユニット３３及びリモコンユニット３１に電気的に接続すると共に、マイクロプロセッサ３２１、第２の伝送モジュール３２２及び販売時点情報管理（ＰＯＳ）装置３２３を有する。マイクロプロセッサ３２１は、計算センタ及び制御センタとして働く。第２の伝送モジュール３２２は、マイクロプロセッサ３２１に電気的に接続さており、また同一タイプの有線伝送モジュール又は無線伝送モジュールである第１の伝送モジュール２１に接続された、ＵＳＢポートのような有線伝送モジュール又はＲＦ伝送モジュール若しくはブルートゥース伝送モジュールのような無線伝送モジュールであってもよい。販売時点情報管理装置３２３は、マイクロプロセッサ３２１に電気的に接続されており、支払用のクレジットカード、デビットカード又はストアバリューカードの情報を読み取ることができる。本実施例では具体例としてクレジットカードが挙げられるから、販売時点情報管理装置３２３は、クレジットカードを読み込んだ後、支払情報を発生させ、またそれをマイクロプロセッサ３２１に送信する。
【００２９】
電源供給ユニット３４は、前記テレビリモコン装置の他のユニットのそれぞれに、動作電力を供給するように働く。本実施例において、電源供給ユニット３４は、充電回路及び充電式バッテリを有する。この充電式バッテリは、前記充電回路を介して第２の伝送モジュール３２２に接続されている。テレビリモコン装置３０がネットワークデバイス２０に電気的に接続されているとき、前記ネットワークデバイスは、データ送信に加えて、前記充電回路を介し前記充電式バッテリを充電する。テレビリモコン装置３０がネットワークデバイス２０に電気的に接続されていないとき、ＵＳＢインターフェースを有する受電器を充電に使用することができる。
【００３０】
マイクロプロセッサ３２１が特定チャンネルの前記チャンネル情報及び前記消費情報をダウンロードするための情報ダウンロード信号を入力モジュール３１２から受け取ると、マイクロプロセッサ３２１は、さらに、前記情報ダウンロード要求を発生させ、該情報ダウンロード要求をネットワークデバイス２０の第１の伝送モジュール２１に第２の伝送モジュール３２２を介して送信する。次に、ネットワークデバイス２０は、前記情報ダウンロード要求をショッピングサービスプラットフォーム１０に送信する。ネットワークデバイス２０は、対応するチャンネル情報及び消費情報を受け取った後、さらに、該チャンネル及び消費情報を再び第２の伝送モジュール３２２に送信する。マイクロプロセッサ３２１は、前記チャンネル及び消費情報を表示すべくディスプレイユニット３３を駆動させる。
【００３１】
特定チャンルのテレビコマーシャルに表示される商品及び前記チャンネルを介しての直接販売される商品の購入を意図するとき、利用者は、入力モジュール３１２の対応したテレビショッピングボタンを押すことができる。マイクロプロセッサ３２１は、入力モジュール３１２により発生する取引要求を受け、また商品情報及び支払情報を含む対応するショッピング情報を発生させる。ネットワークデバイス２０は、さらに、ショッピング情報をインターネット経由でショッピングサービスプラットフォーム１０に送信する。ショッピングサービスプラットフォーム１０は、対応する銀行に関連する支払請求手続を終了し、また取引を完了する。
【００３２】
図２を参照するに、ショッピングサービスプラットフォーム１０は、以下の手順を実行する。
【００３３】
チャンネル情報マッピングテーブルを確立する（４０１）。前記チャンル情報マッピングテーブルは、既存のケーブルテレビチャンネルと、ケーブルテレビ事業者と、チャンネル番号とを含む。このチャンネル番号は、各ケーブルテレビ事業者のケーブルテレビチャンネルに対応している。ケーブルテレビチャンネル番号は固定されているが、一部のケーブルテレビ事業者は、動作して（in play）ケーブルテレビチャンネル番号の一部を時折変更する。したがって、同じの番組が様々なケーブルテレビ事業者の様々なチャンネル番号から放送されてもよい。すなわち、同一のチャンネル番号が様々なケーブルテレビ事業者により放送される複数の地域で選択されるとき、テレビリモコン装置は、同じ番組を選択しないかもしれない。したがって、チャンネル選択を主な目的とする前記チャンネル情報は、この変更を考慮しなければならず、また地方ケーブルテレビ事業者に関連するチャンネル番号の変更に対応する。
【００３４】
チャンネル番組情報を受信及び更新する（４０２）。ショッピングサービスプラットフォーム１０は、インターネット又は他のメディアによって各ケーブルテレビチャンネルの時間帯番組リストを取得する。
【００３５】
チャンネル情報及び消費情報を発生させる（４０３）。ステップ４０３は、受信されたチャンネル番組情報及び前記チャンネル情報マッピングテーブルに従って前記チャンネル情報及び消費情報を発生させる。前記チャンネル情報は、各ケーブルテレビ事業者チャンネル分類リスト及び複数のチャンネル選択肢を有する。各チャンネル選択肢は、複数のプレイアイテム（番組）を有する。各プレイアイテムは、情報に関連する番組を有し、また利用者がテレビリモコン装置３０内のチャンネル管理を行なうためにテレビリモコン装置３０にダウンロードされる。前記チャンネル分類リストは、前記チャンネルリスト内の前記チャンネルを分類するために利用される。チャンネルの種類は、外国映画、ローカル映画、知識、金融及び経済、ニュース、スポーツ、子供、バラエティ、無線、日本、ショッピング、その他のように分類される。各種類は、同一種類の複数のチャンネルを有する。前記チャンネル分類リストがテレビリモコン装置３０にダウンロードされると、ケーブルテレビ事業者の全てのチャンネルは、グループに分類されると共に、選択のためにテレビリモコン装置３０に表示される。前記チャンネル情報及び前記消費情報は、利用者がさらにチャンネル管理を行えるようにテレビリモコン装置３０にダウンロードされると共に、テレビリモコン装置３０を介して消費行為を生む。
【００３６】
情報ダウンロード要求を受信する（４０４）。ネットワークデバイス２０とリンクを構築した後、ショッピングサービスプラットフォーム１０はネットワークデバイス２０から送信された前記ダウンロード要求に従って、前記チャンネル情報及び前記消費情報をネットワークデバイス２０に送信する。
【００３７】
ショッピング情報を受信する（４０５）。前記ショッピングサービスプラットフォームは、前記インターネットを介してネットワークデバイス２０から送信されたショッピング情報を受信する。前記ショッピング情報は、商品情報及び支払情報を有する。前記商品情報は、消費者により購入された商品に関連する情報に関する。消費者がクレジットカードを利用して支払をする場合に、前記支払情報が認証に利用される。
【００３８】
前記支払情報を認証する（４０６）。前記ショッピングサービスプラットフォームは、認証コードを要求すべく、クレジットカードセンタにインターネットを介して前記支払情報を送信する。
【００３９】
出荷通知書を送信する（４０７）。前記クレジットカードセンタからインターネットを介して送られた前記認証コードを受信した後、ショッピングサービスプラットフォームは、出荷情報、クレジットカード利用受理の応答及び支払通知書を発生させると共に、出荷についてベンダーに知らせるべく出荷情報をベンダー(vendor)に、前記クレジット利用受理の応答をネットワークデバイス２０に、銀行を介して支払いを該銀行に送付すべく前記支払通知書を送ります。
【００４０】
出荷完了通知書に応答する（４０８）。インターネットを介して前記出荷完了通知書を前記ベンダーから受け取った後、ショッピングサービスプラットフォーム１０は、ネットワークデバイス２０に前記出荷完了通知書を送信する。前記出荷完了通知書は、ベンダー名、出荷日などを含む。
【００４１】
図３を参照するに、ネットワークデバイスは、以下の手順を実行する。
【００４２】
前記情報ダウンロード要求を送信する（５０１）。ネットワークデバイス２０は、前記第２の伝送モジュール３２２から送られた前記情報ダウンロード要求を受信すると共に、前記情報ダウンロード要求をショッピングサービスプラットフォーム１０にインターネットを介して送信する。
【００４３】
前記チャンネル情報及び前記消費情報を受信する（５０２）。ネットワークデバイス２０は、ショッピングサービスプラットフォーム１０から送信された前記チャンネル情報及び前記消費情報を受信すると共に、前記チャンネル情報及び前記消費情報をテレビリモコン装置３０に第１の伝送モジュール２１を介して送信する。
【００４４】
前記ショッピング情報を受信する（５０３）。ネットワークデバイス２０の第１の伝送モジュール２１は、テレビリモコン装置３０の第２の伝送モジュール３２２から送信された前記ショッピング情報を受信すると共に、該ショッピング情報をショッピングサービスプラットフォーム１０にインターネットを介して送信する。
【００４５】
クレジットカードの利用受理の応答を送受信する（５０４）。ネットワークデバイス２０は、ショッピングサービスプラットフォーム１０からインターネットを介して送られた前記クレッジットカード利用受理の応答を受信すると共に、前記クレジットカード利用受理の応答をテレビリモコン装置３０に第１の伝送モジュール２１を介して送信する。
【００４６】
前記出荷完了通知書を送受信する（５０５）。ネットワークデバイス２０は、前記ショッピングサービスプラットフォームから送られた前記出荷完了通知書を受信すると共に、テレビリモコン装置３０に第１の伝送モジュール２１を介して前記出荷完了通知書を送信する。
【００４７】
図４を参照するに、前記テレビリモコン装置は、以下の手順を実行する。
【００４８】
前記情報ダウンロード要求を発生させる（６０１）。前記テレビリモコン装置は、消費者により入力モジュール３１２を介して入力された命令に従って前記情報ダウンロード要求を発生させると共に、前記情報ダウンロード要求をネットワークデバイス２０に第２の伝送モジュール３２２を介して送信する。
【００４９】
前記チャンネル情報及び前記消費情報を受信する（６０２）。テレビリモコン装置３０の前記第２の伝送モジュールは、ネットワークデバイス２０の第１の伝送モジュール２１から送られた前記チャンネル情報及び前記消費情報を受信する。
【００５０】
前記消費情報を表示する（６０３）。図５を参照するに、テレビリモコン装置３０を介して消費者がチャンネルを選択した後、該チャンネルがショッピングチャンネルであるか、又はテレビコマーシャルを放送するチャンネルであれば、ディスプレイユニット３３は、テレビでその時に実演された商品の仕様、価格及びその他に関連する情報と消費者が商品を購入するための購入ボタンとを表示する。図６を参照するに、前記消費者が入力モジュール３１２又はディスプレイユニット３３に取引要求を入力すれば、前記ディスプレイユニットは、前記した商品情報及び支払い方法の選択肢を前記ディスプレイユニットに表示して、次の手順に進む。
【００５１】
支払情報を発生させる（６０４）。図７を参照するに、前記消費者が支払い方法を選択すると共に、該支払い方法を再度確認した後、図８及び９を参照するに、販売時点情報管理装置３２３は、マイクロプロセッサ３２１から送られた注文情報を受信すると共に、クレジットの利用を消費者に要求する。クレジットの利用が受け入れられた後、販売時点情報管理装置３２３は、前記支払情報を発生させると共に、前記支払情報をマイクロプロセッサ３２１に送信する。
【００５２】
前記ショッピング情報を発生させる（６０５）。マイクロプロセッサ３１２は、前記支払情報を受信した後、前記商品情報及び前記支払情報を前記ショッピング情報に統合すると共に、該ショッピング情報を第２の伝送モジュール３２２を介してネットワークデバイス２０に送信する。
【００５３】
前記クレジットカードの利用受理の応答を受信する（６０６）。図１０を参照するに、テレビリモコン装置３０は、ネットワークデバイス２０から送られた前記クレジットの利用受理の応答を受信すると共に、該応答をディスプレイユニット３３に表示する。
【００５４】
前記出荷完了通知書を受信する（６０７）。テレビリモコン装置３０の第２の伝送モジュール３２２は、ネットワーク２０の第１の伝送モジュール２１から送られた前記出荷完了通知書を受信する。
【００５５】
図１１を参照するに、テレビリモコン装置３０がリアルタイムのテレビコマーシャルの商品情報をダウンロードするステップを実行するとき、消費者は、現地の加入者にサービスを提供するケーブルテレビ事業者を最初に選択する。その後、前記消費者は、ケーブルテレビ事業者を確認し、ショッピングサービスプラットフォーム１０の前記情報ダウンロードの処理ステップを起動すべくショッピングサービスプラットフォーム１０にネットワークデバイス２０を介して情報ダウンロード要求を送信する。各ケーブルテレビチャンネルと、情報ダウンロード要求内の前記チャンネルとに関連する前記チャンネル情報マッピングテーブルは、前記テレビコマーシャルの前記商品の前記消費情報と共に、テレビリモコン装置３０にネットワークデバイス２０を介して転送される。
【００５６】
図１２を参照するに、テレビコマーシャルの商品を購入するとき、前記テレビコマーシャルの商品購入ステップを起動すべく、また商品ベンダーに発注すべく、さらに出荷完了後に前記出荷完了通知書をテレビリモコン装置３０にネットワークデバイス２０を介して送信すべく、テレビリモコン装置３０は、ショッピングサービスプラットフォーム１０にネットワークデバイス２０を介して前記ショッピング情報を送信する。
【００５７】
図１３を参照するに、本発明に係るテレビショッピング装置及び方法の第２の実施例は、販売時点情報管理装置３２３が、テレビリモコン装置３０の充電器３５に統合されていること、テレビリモコン装置３０にＵＳＢインターフェースのような共通のコミュニケーションインターフェースを介して接続されていることを除いて、第１の実施例の構成と概ね同じである。
【００５８】
図１４及び１５を参照するに、本発明に係るテレビショッピング装置及び方法の第３の実施例は、クレジットカード電子取引が普通クレジットカード取引に加えて支援されていることを除いて、第１の実施例の構成と概ね同じである。支払情報を発生させるステップ（６０４）において、消費者は前記支払情報を発生させるべく、販売時点情報管理装置に実質的なクレジットカードを挿入することに代えてクレジットカードに関連するカード番号及びカード情報を入力できる。
【００５９】
消費者は、テレビショッピング装置及び方法を与えられことにより、テレビリモコン装置３０を介して商品を購入すべく、テレビ画像を見て即座に、また、それにより非常に簡略なテレビショッピング手順で、消費者に誤りによる間違った商品の購入を防止するように前記ショッピング情報を入力できる。ショッピングチャンネル事業者により販売される商品の制限に代えて、本発明により、購入できる商品は、より便利で選択的に購入されるテレビコマーシャルにおける商品を含む。
【００６０】
本発明の数々の特徴及び利点は、本発明の構造及び機能の詳細と共に上記において説明したが、それらの開示は、単なる実施例である。変更は、加えられた請求項が表現する用語の広範囲な一般的意味により示された完全な範囲に対して、特に本発明の趣旨の範囲内の部品の形状、寸法及び配置において詳細になされうる。
【符号の説明】
【００６１】
１０    ショッピングサービスプラットフォーム
２０    ネットワークデバイス
２１    第１の伝送モジュール
３０    テレビリモコン装置
３１    リモコンユニット
３２    データ処理兼取引ユニット
３３    ディスプレイユニット
３４    電源ユニット
３５    充電器
３１１    リモコンモジュール
３１２    入力モジュール
３１３    テレビリモコンボタン
３１４    チャンネル分類ボタン
３１５    ショッピングボタン
３２１    マイクロプロセッサ
３２２    第２の伝送モジュール
３２３    販売時点情報管理装置
【図１】
2012039588.tif 000003
【図２】
2012039588.tif 000004
【図３】
2012039588.tif 000005
【図４】
2012039588.tif 000006
【図５】
2012039588.tif 000007
【図６】
2012039588.tif 000008
【図７】
2012039588.tif 000009
【図８】
2012039588.tif 000010
【図９】
2012039588.tif 000011
【図１０】
2012039588.tif 000012
【図１１】
2012039588.tif 000013
【図１２】
2012039588.tif 000014
【図１３】
2012039588.tif 000015
【図１４】
2012039588.tif 000016
【図１５】
2012039588.tif 000017